(57)【要約】【課題】  枠型のバックルであって、且つベルト本体の裏面に形成された凹凸により、その長さを容易に調節することができる衣料用ベルトを提供することを目的とする。【解決手段】  ベルト本体１と、当該ベルト本体１の基端部に設けられたバックル２とよりなり、前記バックル２は前記ベルト本体１の基端に着脱自在に取り付けられ、前記ベルト本体１の先端部を挿通する環７を有するバックル本体３と、略枠状をなし当該枠の基部において前記バックル本体３に対して回動自在に軸支されたレバー１０と、当該レバー１０の回動軸１１に対して回動自在に軸支され、当該回動により前記バックル本体３の上面に出没する爪１３を有し、前記レバー１０を操作することにより前記係止部材１２の爪１３が後退するようになし、前記ベルト本体１の先端部裏面には前記爪１３に係止し得る凹凸１７を有することを特徴とする、衣料用ベルト【選択図】          図２
2020141715.tif 000002
【特許請求の範囲】
【請求項１】
ベルト本体（１）と、当該ベルト本体（１）の基端部に設けられたバックル（２）とよりなり、前記ベルト本体（１）の先端部を前記バックル（２）に係止可能とした衣料用ベルトにおいて、前記バックル（２）は前記ベルト本体（１）の基端に着脱自在に取り付けられ、前記ベルト本体（１）の先端部を挿通する環（７）を有するバックル本体（３）と、略枠状をなし当該枠の基部において前記バックル本体（３）に対して回動自在に軸支されたレバー（１０）と、当該レバー（１０）の回動軸（１１）に対して回動自在に軸支され、当該回動により前記バックル本体（３）の上面に出没する爪（１３）を有し、当該爪（１３）がバックル本体（３）の上面から突出する方向に付勢された係止部材（１２）とよりなり、前記レバー（１０）を操作することにより前記係止部材（１２）の爪（１３）がバックル本体（３）の上面から後退するようになし、前記ベルト本体（１）の先端部裏面には前記爪（１３）に係止し得る当該ベルト本体（１）の長さ方向に直角に延びる複数の凹凸（１７）を有することを特徴とする、衣料用ベルト
【発明の詳細な説明】
【技術分野】
【０００１】
本発明は衣料用ベルトに関するものであって、容易に着用することができ、且つベルト本体の裏面に形成された凹凸により、その長さを容易に調節することができる衣料用ベルトに関するものである。
【背景技術】
【０００２】
従来この種の衣料用ベルトとしては、特開２００４−１３５７２４号公報に示されたものが知られているが、このものではバックルが板状であって、枠型のバックルを好む需要者には不向きであった。
【先行技術文献】
【特許文献】
【０００３】
【特許文献１】特開２００４−１３５７２４号公報
【発明の概要】
【発明が解決しようとする課題】
【０００４】
本発明はかかる事情に鑑みなされたものであって、枠型のバックルであって、且つベルト本体の裏面に形成された凹凸により、その長さを容易に調節することができる衣料用ベルトを提供することを目的とするものである。
【課題を解決するための手段】
【０００５】
而して本発明は、ベルト本体と、当該ベルト本体の基端部に設けられたバックルとよりなり、前記ベルト本体の先端部を前記バックルに係止可能とした衣料用ベルトにおいて、前記バックルは前記ベルト本体の基端に着脱自在に取り付けられ、前記ベルト本体の先端部を挿通する環を有するバックル本体と、略枠状をなし当該枠の基部において前記バックル本体に対して回動自在に軸支されたレバーと、当該レバーの回動軸に対して回動自在に軸支され、当該回動により前記バックル本体の上面に出没する爪を有し、当該爪がバックル本体の上面から突出する方向に付勢された係止部材とよりなり、前記レバーを操作することにより前記係止部材の爪がバックル本体の上面から後退するようになし、前記ベルト本体の先端部裏面には前記爪に係止し得る当該ベルト本体の長さ方向に直角に延びる複数の凹凸を有することを特徴とするものである。
【図面の簡単な説明】
【０００６】
【図１】本発明におけるベルト本体の先端部をバックルに係止した状態の平面図
【図２】本発明におけるベルト本体の先端部をバックルに係止した状態の中央縦断面図
【図３】本発明におけるベルト本体の先端部をバックルに係止しようとする状態を示す中央縦断面図
【図４】本発明におけるベルト本体とバックルとの係止状態を解除した状態を示す中央縦断面図
【発明を実施するための形態】
【０００７】
以下本発明を図面に基づいて説明する。図１及び図２は本発明におけるベルト本体１の先端部をバックル２に係止した状態を示すものであって、図１はその平面図であり、図２は中央縦断面図である。
【０００８】
本発明の衣料用ベルトはベルト本体１と当該ベルト本体１の基端部に設けられたバックル２とよりなるものであって、前記ベルト本体１を着用者の腰部に巻回し、その先端部を前記バックル２に係止せしめることにより、着用するようになっている。
【０００９】
而して前記バックル２において３はバックル本体３であって、当該バックル本体３の基部にピン４によりバックル本体３に対して回動自在に設けられており、その上面に複数の針５を植設した回動部材６によって、前記ベルト本体１の基端をバックル本体３の後部に着脱可能に取り付けるようになっている。またバックル本体３の上部には、ベルト本体１の先端部を挿通する環７が設けられている。
【００１０】
また前記バックル本体３の先端部には、両側部８と先端部９とよりなる略枠状をなしたレバー１０が、その両側部８の基部において回動軸１１により回動自在に軸支されており、当該回動軸１１の中央部には係止部材１２が、前記バックル本体３及びレバー１０に対して回動自在に軸支されえいる。
【００１１】
而して前記係止部材１２は、後部上部に爪１３が突出しており、当該爪１３は係止部材１２が回動軸１１に対して回動することにより、バックル本体３の上面から出没するようになっており、当該爪１３がバックル本体３の上面から突出する方向にばね１４により付勢されている。
【００１２】
そして係止部材１２の前部に操作突起１５が突出しており、当該操作突起１５の下部にはレバー１０の両側部８間に架設された操作杆１６が位置しており、前記レバー１０を回動軸１１を軸として時計方向に回動することにより、前記操作杆１６が操作突起１５を上動せしめて係止部材１２を時計方向に回動せしめ、前記係止部材１２の爪がバックル本体３の上面から後退するようになっている。
【００１３】
前記ベルト本体１の先端部裏面には、当該ベルト本体１の長さ方向に直角に延びる複数の凹凸１７が形成されており、当該ベルト本体１の先端部を前記環７に通すことにより、前記爪１３が凹凸１７に係止するようになっている。
【００１４】
而して本発明の衣料用ベルトを着用するときには、ベルト本体１を着用者の腰部に巻回し、当該ベルト本体１の先端部を図３に示すように環状のレバー１０に通し、さらにバックル２の環７に挿入する。
【００１５】
このとき図３に示すように、係止部材１２の爪１３がばね１４によりバックル本体３の上面から突出せしめられているため、当該爪１３がベルト本体１の凹凸１７に当接し、当該凹凸１７が爪１３をばね１４の弾力に抗して押し下げつつ、ベルト本体１の先端部を挿入することができ、着用者の好みの位置まで挿入することができる。
【００１６】
そこでベルト本体１の挿入を停止すれば、図２に示すように係止部材１２が反時計方向に回動して爪１３がバックル本体３の上面から突出し、当該爪１３がベルト本体１の凹凸１７に係止し、ベルト本体１が引き戻されるのを阻止し、これによって本発明の衣料用ベルトを着用することができる。
【００１７】
さらに衣料用ベルトを締め増したいときには、図２における環７から突出したベルト本体１の先端部を図中右方に引くことにより、再度図３に示すように凹凸１７が爪１３を押し下げながら進行し、好みの位置まで締め増すことができる。
【００１８】
次に本発明の着用した衣料用ベルトを緩め、又は衣料用ベルトの着用を解くときには、図４に示すように、レバー１０の先端部９を引き上げ、当該レバー１０を回動軸１１を軸として時計方向に回動せしめる。
【００１９】
これによりレバー１０の操作杆１６が係止部材１２の操作突起１５を押し上げて、係止部材１２を時計方向に回動せしめ、爪１３をベルト本体１の凹凸１７から脱出させる。これによりベルト本体１を自由にバックル２から引き戻すことができ、衣料用ベルトの着用を緩め又は解くことができる。
【００２０】
本発明によれば、枠型のレバー１０が表に露出するため、バックルの外観としては、枠型のバックルに類似の外観を有しており、外観上枠型のバックルを好む需要者にも適している。
【００２１】
また通常枠型のバックルでは、ベルト本体１の先端部を一旦バックルから完全に解かないと長さの調節ができないのであるが、本発明によればレバー１０をわずかに引き上げるだけでベルトを緩めることができ、またベルトを締め増したいときには、ベルト本体１の環７に通した先端部を引くだけで、容易に締め増すことができるのであって、長さの調節が極めて容易である。。
【符号の説明】
【００２２】
１  ベルト本体
２  バックル
３  バックル本体
７  環
８  両側部
９  先端部
１０  レバー
１１  回動軸
１２  係止部材
１３  爪
１７  凹凸
【図１】
2020141715.tif 000003
【図２】
2020141715.tif 000004
【図３】
2020141715.tif 000005
【図４】
2020141715.tif 000006